(57)【特許請求の範囲】
【請求項１】
前身頃及び後身頃の両側縁部を接合することによりウエスト開口部および左右のレッグ開口部が形成され、
吸収コアが前身頃から後身頃にわたり幅方向中央に沿って延在されるとともに、その幅方向両側部分はシートにより形成された、吸収コアを有しない部分とされており、
ウエスト開口縁からレッグ開口始端に至る長さ範囲として定まる胴周り部のうち、前記ウエスト開口縁側の部分であるウエスト部には、周方向に沿って連続的に縦方向に間隔を置いて複数のウエスト伸縮部材が配置され、前記吸収コアの一部を含む縦方向長さ範囲である腰下部には、周方向に沿って縦方向に間隔を置いて腰下部伸縮部材が配置され、
前記腰下部は、幅方向中央部が非伸縮部とされるとともに、この非伸縮部を除いた前記幅方向両側部分を含む領域が前記腰下部伸縮部材による伸縮部とされており、
前記腰下部の腰下部伸縮部材は糸ゴムにより形成され、前記胴回り部の６０％以上で、且つ５０〜１５０ｍｍの縦方向長さ範囲にわたり設けられており、
前記前身頃と後身頃とを重ねた状態で、前記胴回り部が製品幅方向に伸張限界まで伸張しているときの最大製品幅が３００〜４００ｍｍであり、前記胴回り部が非伸張の収縮状態にあるときの収縮製品幅と前記最大製品幅との差が、１５０〜２００ｍｍであり、
前記非伸縮部の周方向の長さの総和が、胴回り周長の１５〜４０％であり、
前記腰下部伸縮部材における、収縮している通常状態の長さに対する最大伸長時の長さの割合が２５０〜３５０％であり、
前記腰下部の腰下部伸縮部材は、その縦方向の配置間隔が７．０ｍｍ以下で、且つ前記ウエスト伸縮部材の配置間隔に対して同じかあるいは短く、
前身頃と後身頃とを重ねた状態で前記胴回り部を製品幅方向に伸張させたときの胴回り部の製品幅方向の伸縮力が、伸張限界における最大製品幅に対して１００ｍｍ収縮している状態で３００〜６００ｇｆの範囲にあり、かつ伸張限界における最大製品幅に対して１５０ｍｍ収縮している状態で５０〜３００ｇｆの範囲にある、
ことを特徴とするパンツ型使い捨て紙おむつ。
【請求項２】
前記腰下部伸縮部材の伸張応力及び断面外径が、前記ウエスト伸縮部材の伸張応力及び断面外径よりも小さく、かつ前記腰下部伸縮部材の太さが６２０ｄｔｅｘ以下である、請求項１に記載のパンツ型使い捨て紙おむつ。
【請求項３】
前記後身頃の前記腰下部伸縮部材は、周方向に沿って連続的に配置されている、請求項１または２に記載のパンツ型使い捨て紙おむつ。
【請求項４】
前記腰下部伸縮部材は、格子網状に配設されている、請求項１または２に記載のパンツ型使い捨て紙おむつ。
【発明の詳細な説明】
【技術分野】
【０００１】
本発明は、パンツ型使い捨て紙おむつ、特に、使用状態においてウエスト開口部及び左右のレッグ開口部が形成され、前記ウエスト開口縁から前記レッグ開口始端に至る長さ範囲の胴周り部の少なくとも腰下部に、周方向に沿って伸縮部材が配置された伸縮部と伸縮部材が配置されていない非伸縮部とを有するパンツ型使い捨て紙おむつに関する。
【背景技術】
【０００２】
近年、パンツ型使い捨て紙おむつが汎用されている。この場合における伸縮部材は、特に胴周りについては通常は糸ゴムが使用され、この糸ゴムは、胴周り部（ウエスト開口縁からレッグ開口始端に至る長さ範囲の領域）のウエスト開口縁側に偏在させた領域の全周に配置し、配置間隔は１０ｍｍ以上が一般的である。また、通常は、ウエスト開口部の配置間隔を小さく、腹部の過度の圧迫を防止するために腰下部（ウエスト開口部より股下側の部分）の配置間隔を大きくしてある。しかしこの種の製品の欠点は、体裁の悪い皺が発生することであった。そこで、前記胴周り部に伸縮部材を有さない領域を設けて体裁の悪い皺の発生を防止したパンツ型使い捨て紙おむつが提案されている。
【発明の概要】
【発明が解決しようとする課題】
【０００３】
この種のパンツ型使い捨て紙おむつは見栄えが非常によく、しかしながら、この種のパンツ型使い捨て紙おむつは、場合によっては使用時にはかせづらかったりまたははきづらかったり、ずれ落ちたりすることがあった。また、所望のフィット感が得られないこともあった。
【０００４】
そこで、本発明は、それらの諸問題を解決し、見栄えがよくさらに使用時にはかせやすくまたははきやすく、ずれ落ちが生じることなく、フィット感に優れるパンツ型使い捨て紙おむつを提供することにある。
【課題を解決するための手段】
【０００５】
上記課題を解決した本発明は次記のとおりである。
＜請求項１記載の発明＞
前身頃及び後身頃の両側縁部を接合することによりウエスト開口部および左右のレッグ開口部が形成され、
吸収コアが前身頃から後身頃にわたり幅方向中央に沿って延在されるとともに、その幅方向両側部分はシートにより形成された、吸収コアを有しない部分とされており、
ウエスト開口縁からレッグ開口始端に至る長さ範囲として定まる胴周り部のうち、前記ウエスト開口縁側の部分であるウエスト部には、周方向に沿って連続的に縦方向に間隔を置いて複数のウエスト伸縮部材が配置され、前記吸収コアの一部を含む縦方向長さ範囲である腰下部には、周方向に沿って縦方向に間隔を置いて腰下部伸縮部材が配置され、
前記腰下部は、幅方向中央部が非伸縮部とされるとともに、この非伸縮部を除いた前記幅方向両側部分を含む領域が前記腰下部伸縮部材による伸縮部とされており、
前記腰下部の腰下部伸縮部材は糸ゴムにより形成され、前記胴回り部の６０％以上で、且つ５０〜１５０ｍｍの縦方向長さ範囲にわたり設けられており、
前記前身頃と後身頃とを重ねた状態で、前記胴回り部が製品幅方向に伸張限界まで伸張しているときの最大製品幅が３００〜４００ｍｍであり、前記胴回り部が非伸張の収縮状態にあるときの収縮製品幅と前記最大製品幅との差が、１５０〜２００ｍｍであり、
前記非伸縮部の周方向の長さの総和が、胴回り周長の１５〜４０％であり、
前記腰下部伸縮部材における、収縮している通常状態の長さに対する最大伸長時の長さの割合が２５０〜３５０％であり、
前記腰下部の腰下部伸縮部材は、その縦方向の配置間隔が７．０ｍｍ以下で、且つ前記ウエスト伸縮部材の配置間隔に対して同じかあるいは短く、
前身頃と後身頃とを重ねた状態で前記胴回り部を製品幅方向に伸張させたときの胴回り部の製品幅方向の伸縮力が、伸張限界における最大製品幅に対して１００ｍｍ収縮している状態で３００〜６００ｇｆの範囲にあり、かつ伸張限界における最大製品幅に対して１５０ｍｍ収縮している状態で５０〜３００ｇｆの範囲にある、
ことを特徴とするパンツ型使い捨て紙おむつ。
（作用効果）
製品を見るとき、目立つのは中央部（周方向の中央部）であるところ、本発明においては、前記非伸縮部が前身頃および後身頃の少なくとも一方の中央部にあるので、この部分における皺の発生がなく製品の見栄えに優れる。さらに、中央部に存在する吸収体の変形が防止される。しかも、前記伸縮部がその非伸縮部を除く左右脇部を含む領域にあり、かつ、前身頃と後身頃とを重ねた状態で、前記胴回り部が製品幅方向に伸張限界まで伸張しているときの最大製品幅と前記胴回り部が非伸張の収縮状態にあるときの収縮製品幅との差を１５０〜２００ｍｍとしたことにより、はきやすくまたははかせやすく、フィット感に優れたものとなる。
また、縦方向の配置間隔が７．０ｍｍ以下で、且つ前記ウエスト伸縮部材の配置間隔に対して同じかあるいは短くすることにより、皺が目立たず、見えるとしても木目細かい皺であり、全体的には平坦面状の外面を呈し、すっきり感、すなわち製品の外面が「モコモコ」せず、見栄えに優れたものとなる。
さらに、前身頃と後身頃とを重ねた状態で前記胴回り部を製品幅方向に伸張させたときの胴回り部の製品幅方向の伸縮力を、伸張限界における最大製品幅に対して１００ｍｍ収縮している状態で３００〜６００ｇｆの範囲にあり、かつ伸張限界における最大製品幅に対して１５０ｍｍ収縮している状態で５０〜３００ｇｆの範囲としたことにより、腹部に過度の圧迫が加わることがなく、また、ずれ落ちたりすることもない。
【０００６】
＜請求項２記載の発明＞
前記腰下部伸縮部材の伸張応力及び断面外径が、前記ウエスト伸縮部材の伸張応力及び断面外径よりも小さく、かつ前記腰下部伸縮部材の太さが６２０ｄｔｅｘ以下である、請求項１に記載のパンツ型使い捨て紙おむつ。
（作用効果）
上記数値範囲を限定したものであると、請求項１における作用効果のすっきり感がより一層明瞭になる。
【０００７】
＜請求項３記載の発明＞
前記後身頃の前記腰下部伸縮部材は、周方向に沿って連続的に配置されている、請求項１または２に記載のパンツ型使い捨て紙おむつ。
（作用効果）
前記後身頃の前記腰下部伸縮部材は、周方向に沿って連続的に配置することにより、後身頃のフィット感がより一層高まる。
【０００８】
＜請求項４記載の発明＞
前記腰下部伸縮部材は、格子網状に配設されている、請求項１または２に記載のパンツ型使い捨て紙おむつ。
（作用効果）
前記腰下部伸縮部材は、格子網状に配設されていることから、フィット感がより一層高まる。
【０００９】
【００１０】
【００１１】
【００１２】
【００１３】
【００１４】
【発明の効果】
【００１５】
以上のとおり、本発明によれば、皺が目立つことがなく、製品の見栄えとしてすっきりしたものとなり、しかも、はかせやすくまたははきやすく、しかも、フィット性に優れるなどの利点がもたらされる。
【図面の簡単な説明】
【００１６】
【図１】本発明の用語説明のための、第１の実施の形態の展開状態使用面側からの平面図である。
【図２】第１の実施の形態の展開状態使用面側からの平面図である。
【図３】その５−５線矢視図である。
【図４】第１の実施の形態製品の斜視図である。
【図５】本発明製品の皺の発生状況概要図である。
【図６】伸縮部材の配設形態の説明図である。
【図７】製品の表裏のデザイン例を示す図である。
【図８】別の伸縮部材を設けた実施の形態の展開状態使用面側からの平面図である。
【図９】他の伸縮部材を設けた実施の形態の展開状態使用面側からの平面図である。
【００１７】
【００１８】
【発明を実施するための形態】
【００１９】
以下本発明の実施の形態を図面を参照しながらさらに詳説する。
（『本発明の用語の説明』、及びパンツ型使い捨ておむつの第１の実施の形態）
主に図１によって、本発明の部位や方向に関する用語説明をしつつ、図２及び図３によって、第１の実施形態に係るパンツ型使い捨ておむつについて説明する。
【００２０】
この第１の実施形態に係るパンツ型使い捨ておむつは、図１及び図２に示すように、可撓性の外形シート１と、この外形シート１内面に固定され、股下４を中心として縦方向（前後方向）に延在する吸収主体１０とを主体として構成されている。
【００２１】
外形シート１は２枚または３枚以上の通気・撥水性の不織布を積層固定してなり、この外形シート１と吸収主体１０とを重ね合わせた後の製造工程の最終段階で、前身頃Ｆと後身頃Ｂとの両側縁部の長手方向全体を超音波シールや熱溶融などの手段により接合する（この接合部を符号３０としてある）ことにより、図４に示されているようにウエスト開口部ＷＯおよび左右一対のレッグ開口部ＬＯを形成してある。
【００２２】
図１の符号において、「縦方向」とは、腹側と背側を結ぶ方向を意味し、「周方向」とは前記縦方向と直交する方向を意味する。「ウエスト開口縁」とはウエスト開口部ＷＯの縁を意味し、「レッグ開口縁」とはレッグ開口部ＬＯの縁を意味する。「レッグ開口始端」とはレッグ開口部ＬＯのレッグ開口縁と接合部３０と交差する位置を意味し、レッグ開口縁の始まり個所の意味である。「胴周り部」Ｔとは、ウエスト開口縁からレッグ開口始端に至る長さ範囲の全体領域を意味する。胴周り部Ｔは、概念的に「ウエスト部」Ｗと「腰下部」Ｕとに分けることができる。これらの縦方向の長さは、製品のサイズによって異なるが、ウエスト部Ｗは１５〜４０ｍｍ、腰下部Ｕは６５〜１２０ｍｍである。
【００２３】
また、本発明に言う「製品幅」とは、製品時に両側縁間の距離のことを意味する。胴回り部の製品幅がウエスト部Ｗと腰下部Ｕとで異なる場合は、特に腰下部Ｕにおける幅とする。また、製品幅方向とは、前記製品幅に沿う方向である。図４においては製品幅をＰＷ、製品幅方向をｐｗで示してある。従って、最大製品幅とは、前身頃と後身頃を重ねた状態の製品時において胴回り部Ｔを前記製品幅ＰＷ方向に引張り、前記伸縮部を伸長限界まで伸長させたときの製品幅のことである。また、収縮幅とは、前身頃と後身頃を重ねた状態の製品時において伸縮部が伸長していない収縮状態にあるときの製品幅のことである。
【００２４】
一方、本発明に言う、非伸縮部の周方向の長さの総和とは、前身頃、後身頃においてそれぞれ非伸縮部が存在する場合は、それぞれの周方向長の和を言い、胴回り部において非伸縮部が一箇所にしか存在しない場合においてはその周方向の長さである。
【００２５】
「股部」Ｌとは、レッグ開口部ＬＯを形成する長さ範囲の全体領域を意味する。また、「中央部」とは、製品の中央線を含む側部を除く中間領域を意味する。「脇部」とは、胴周り部Ｔにおける両側部を意味する。
【００２６】
吸収主体１０は、図３にも示すように、不織布などからなり着用者の肌に直接触れる長方形の透液性トップシート１１と、綿状パルプを主体とし、ある程度の剛性を有する（半剛性の）長方形の吸収コア１３とその上下面全体を包む額巻きされた長方形のクレープ紙１４とからなる吸収体ＡＢと、この吸収体ＡＢの裏面において両側縁近傍まで達する、ポリエチレンプラスチックフィルムなどからなる長方形の不透液性バックシート１２とを有し、前記透液性トップシート１１は、吸収体ＡＢの両側縁を周り込んで裏面に達し、不透液性バックシート１２に重ねられており、これらの各要素はホットメルト接着剤により接着（図中＊で示しているのが接着部分である）一体化されたものである。必要に応じて、図示のように透液性トップシート１１とクレープ紙１４との間に透液性セカンドシート１１Ｓを介在させることができる。この吸収主体１０は、ほぼ裏面全体が前記外形シート１に対して、ホットメルト接着剤により接着して一体化してある。
【００２７】
吸収主体１０の両側部には、使用面側に突出する脚周り起立カフスＣ，Ｃがそれぞれ形成され、この起立カフスＣは、実質的に幅方向に連続した起立シート４０と、伸縮部材、たとえば糸ゴムからなる一本のまたは図示のように複数本の伸縮部材５０，５０…とにより構成されている。
【００２８】
さらに詳細には、起立カフスＣは、起立シート４０を２重に形成され、各伸縮部材５０，５０…をホットメルト接着剤などにより固着した状態で包んで形成されたものである。各起立カフスＣ，Ｃを形成する起立シート４０は、透液性でなく不透液性もしくは疎水性であるのが望ましい。また、不織布などの透液性シートに対してシリコン処理などにより液体をはじく性質となるようにしてもよい。さらに、通気もしくは蒸気透過性を有しているのが望ましい。
【００２９】
二重の起立シート４０の内面は、吸収体ＡＢ及び不透液性バックシート１２の裏面側に回り込んでホットメルト接着剤などにより固着されている。その結果、二重の起立シート４０のこの固着始端は、起立カフスＣの起立端を形成している。
【００３０】
この起立端より先端側は、製品本体に固定されていない自由部分である。
【００３１】
他方、長手方向前後端部において、ホットメルト接着剤などにより、前記自由部分は、その先端が物品の中央側に向かう状態で物品に、具体的には透液性トップシート１１外面に固定されている。
【００３２】
また、伸縮部材５０，５０…は、少なくとも１本が自由部分にあることを基本形態とするが、特にその伸縮部材５０は自由部分の先端部にあることが好ましく、さらに、図３に示されているように、根元側にも伸縮部材５０を有することが好ましい。先端部には、図示のように複数本有するのがさらに望ましい。
【００３３】
図２は、紙おむつを長手方向に展開した状態を示しているが、装着時には、紙おむつが舟形に体に装着されるので、そして各伸縮部材５０，５０…の収縮力が作用するので、製品の前後端はそのままで、脚周りでは、各伸縮部材５０，５０…の収縮力により起立カフスＣが起立する。そしてこのとき、吸収主体１０の側部を変形させ持ち上げ、また若干吸収体ＡＢも変形させつつ持ち上げ、深いポケット空間を形成する。
【００３４】
左右の起立カフスＣ，Ｃで囲まれる空間は、尿または軟便の閉じ込め空間を形成する。この空間内に排尿されると、その尿は透液性トップシート１１を通って吸収体ＡＢ内に吸収されるとともに、軟便の固形分については、起立カフスＣがバリヤーとなり、その乗り越えが防止される。
【００３５】
他方、前身頃Ｆ及び後身頃Ｂの長手方向端部において、ウエスト部Ｗにおける外形シート１の不織布間には、ウエスト周りのフィット性を高めるために、ウエスト開口部ＷＯの端縁に平行に間隔を置いて細い糸ゴムからなるウエスト伸縮部材２０Ｆ，２０Ｂが伸縮するように伸長下に配置固定されている。ウエスト部Ｗにおけるウエスト伸縮部材２０Ｆ，２０Ｂの間隔および本数は適宜定めることができるが、例えば間隔としては４〜８ｍｍ程度、本数としては４〜１０本程度が好ましい。
【００３６】
そしてかかる構成のもと、本発明に従って、前身頃Ｆ及び後身頃Ｂのウエスト部Ｗから股部Ｌの間の領域たる腰下部Ｕにおける、前身頃Ｆの下腹部及び後身頃Ｂの臀部に、周方向に沿って腰下部伸縮部材２１Ｆ，２１Ｂが設けられている。そして、腰下部伸縮部材２１Ｆ，２１Ｂはそれぞれ、前身頃Ｆ及び後身頃Ｂにおいて、一方側の接合部３０から他方側の接合部３０までの部分のうち吸収コア１３のほぼ全体を除く製品の左右脇部に設けられている。このとき、一般的なパンツ型使い捨て紙おむつの形態を考慮すれば、腰下部伸縮部材２１Ｆ，２１Ｂが設けられている伸縮部の縦方向の幅を５０〜１５０ｍｍとするのが望ましい。また、腰下部伸縮部材２１Ｆ，２１Ｂが設けられていない非伸縮部を、その周方向の長さの総和が胴回り周長の１５〜４０％となるようにするのが望ましい。
【００３７】
さらに本発明では、前身頃Ｆと後身頃Ｂとを重ねた状態で、胴回り部Ｔが製品幅方向に伸張限界まで伸張しているときの最大製品幅と胴回り部Ｔが非伸張の収縮状態にあるときの収縮製品幅との差が１００〜２５０ｍｍ、特に好適には１５０〜２００ｍｍとなるように構成するか、または、前身頃と後身頃とを重ねた状態で前記胴回り部を製品幅方向に伸張させたときの胴回り部の製品幅方向の伸縮力が、伸張限界における最大製品幅に対して１００ｍｍ収縮している状態で３００〜６００ｇｆの範囲にあり、かつ伸張限界における最大製品幅に対して１５０ｍｍ収縮している状態で５０〜３００ｇｆの範囲となるようにする。これは、例えば、下記の構成によって達成できる。
【００３８】
一般的なパンツ型使い捨て紙おむつの形態であれば、最大製品幅は３００〜４００ｍｍとするのが望ましい。また、伸縮部における腰下伸縮部材の質量は、伸張限界状態の伸縮部１００ｍｍ×１００ｍｍにつき０．０５〜０．１３ｇとするのが望ましい。
【００３９】
一方、腰下部伸縮部材２１Ｆ，２１Ｂにおける相互間隔は、ウエスト伸縮部材２０Ｆ，２０Ｂの間隔に対して同じか、あるいはそれよりも短いものである。また、これら腰下部伸縮部材２１Ｆ，２１Ｂとして使用する糸ゴムは、前述のウエスト伸縮部材２０として使用する細い糸ゴムよりも伸張応力および断面外径が小さいか、あるいは実質的に同一のものとすることができ、好適には、最大伸長時の長さが、収縮している通常時の長さの２５０〜３５０％、特に２５０〜３００％となるものである。
【００４０】
図示例では、これら腰下部伸縮部材２１Ｆ，２１Ｂとして、細い糸ゴム、具体的に太さが６２０ｄｔｅｘ以下とされた伸縮部材が用いられ、前身頃Ｆ及び後身頃Ｂの両者において、縦方向の間隔が７．０ｍｍ以下とされ、それぞれ平行に１５〜４０本、外形シート１の不織布間に配置固定されている。このようにすると、図５に模式的に示すように、生成する皺は周方向に幅狭であり、縦方向（周方向に直交する方向）に長さが短く、皺がほぼ縦方向に連続する形態で生成する。そして、各皺の凹または凸はごく小さい。しかも、糸ゴムｇ部分での括れが殆どなく、外面を構成するシートの色と糸ゴムｇの色とが同色である場合に糸ゴムｇの存在が判別し難い。
【００４１】
その結果、皺が目立たず、見えるとしても木目細かい皺であり、全体的には平坦面状の外面を呈し、すっきり感、すなわち製品の外面が「モコモコ」せず、見栄えに優れたパンツ型使い捨て紙おむつとなる。しかも、面として肌に対して押圧されるようにすることにより、局部的な過度の肌への圧迫がないことによりゴム跡の生成がなく、製品の内面と肌との摩擦が全体に及び、ぴったり接触することによりフィット性が良好であり、製品のずれ落ちが防止される。
【００４２】
他方、第１の実施の形態においては、股部Ｌにおける中央部を除く左右部においても股部伸縮部材２３を設けてある。この股部伸縮部材２３についても、腰下部伸縮部材２１Ｆ，２１Ｂと同様に、太さが６２０ｄｔｅｘ以下の伸縮部材を縦方向の間隔を７．０ｍｍ以下として不織布間に配置固定できる。
【００４３】
このようにして構成されるパンツ型使い捨て紙おむつは、前身頃Ｆと後身頃Ｂとを重ねた状態で、胴回り部Ｔが製品幅方向に伸張限界まで伸張しているときの最大製品幅と胴回り部Ｔが非伸張の収縮状態にあるときの収縮製品幅との差が１００〜２５０ｍｍであり、また、前身頃Ｆと後身頃Ｂとを重ねた状態で胴回り部Ｔを製品幅方向に伸張させたときの胴回り部Ｔの製品幅方向の伸縮力が、伸張限界における最大製品幅に対して１００ｍｍ収縮している状態で３００〜６００ｇｆの範囲にあり、かつ伸張限界における最大製品幅に対して１５０ｍｍ収縮している状態で５０〜３００ｇｆの範囲にある製品となるため、はかせやすくまたははきやすく、しかも、フィット感に優れるものとなる。
【００４４】
（その他の実施の形態）
本発明は、少なくとも腰下部Ｕに、周方向に沿って伸縮部材が配置された伸縮部と伸縮部材が配置されていない非伸縮部とを有するものであり、ウエスト部Ｗおよび股部Ｌにおける伸縮部材の配置については特に限定されない。また、非伸縮部は、前身頃Ｆおよび後身頃Ｂの少なくとも一方の中央部にあればよく、したがって、前身頃Ｆと後身頃Ｂとの間で伸縮部材の配設形態を相違させることもできる。ここで、実施例１に示す形態以外の本発明の形態を図６の（Ａ）〜（Ｄ）に示す。
【００４５】
（Ａ）の形態は、ウエスト伸縮部材２０Ｆ，２０Ｂの配置は、第１の実施の形態と同様で、股部伸縮部材２３が配設されていない形態である。（Ｂ）の形態は、股部伸縮部材２３の配置は、第１の実施の形態と同様であり、ウエスト伸縮部材２０Ｆ，２０Ｂが、前身頃Ｆおよび後身頃Ｂの両方における中央部には配置されない形態である。（Ｃ）の形態は、ウエスト伸縮部材２０Ｆ，２０Ｂが、前身頃Ｆおよび後身頃Ｂにおいて中央部には配置されず、股部伸縮部材２３が配置されていない形態となっている。（Ｄ）の形態は、前身頃Ｆにおける各伸縮部材の配置は、（Ｂ）と同様であるが、後身頃Ｂにおいては腰下部伸縮部材２１Ｂが中央部にも配置されている形態となっている。このように伸縮部材の配設形態は適宜であることを付言する。また、本発明においては、腰下部伸縮部材２１Ｆ，２１Ｂ端部、または股部伸縮部材２３の端部が吸収コア１３の側縁部に重なる場合と、吸収コア１３の側縁に達しないで離間する場合との両者を含む。
【００４６】
また、上記例はほぼ砂時計形状の外形シート１に対して長方形の吸収主体１０を接合してあるが、外形シート１と同形状の透液性トップシート１１を設け、これらの間に吸収体ＡＢを設ける形態でもよい。さらに、外形シート１と吸収主体１０とが境界なく一体化してある形態でもよい。
【００４７】
製品の外面を構成するシートは、上記例では２枚または３枚以上の通気・撥水性の不織布を積層固定したものであるが、１枚の不織布でもよく、この場合にはその不織布の使用面側に伸縮部材を接合することができる。さらに積層する不織布間の中間にプラスチックシートを介在させたり、または裏面側不織布の使用面側に張り合わせたりすることができる。
【００４８】
腰下部伸縮部材２１Ｆまたは腰下部伸縮部材２１Ｂは、格子網状に配設することでもよい。この１例が（Ｅ）に示す形態である。
【００４９】
他方で、製品の中央部（吸収コアのほぼ全体領域）に、図７に示すように、不透液性バックシート１２の裏面側にキャラクターなどのデザインをたとえば印刷により施すことができる。このデザイン部分は、ある程度の剛性を有する吸収コア１３を有し、かつ本発明にしたがって外形シート１が変形したり皺を生じたりすることがないために、そのデザインが崩れることなく鮮明に分かるものとなる。このようにすると、誰でも一目で前後を判別でき、おむつ換えが楽しくなり、着用者も喜ぶものとなる。デザインを施したデザインシートを外形シート１間に介在させることでもよい。また、外形シート１にデザイン印刷することもできる。
【００５０】
（伸縮部材について）
上記の伸縮部材としては、天然ゴムや合成ゴムなどの材質のほか、ウレタンなどの弾性伸縮性のものを用いることができる。また、細帯状の弾性伸縮性帯や、面積的に大きいシート状のものも使用できる。これらの例として、ウレタンなどの帯、フィルムまたはシートなどがある。フィルムとしては無孔フィルムや孔開きフィルム、さらにシートとしては網目状のシートなどを適宜選択できる。無孔フィルム６０の配設例を図８に示した。また、網目状のフィルム６１の配設例を図９に示した。これらの形態においても、本発明にかかる構成、すなわち、前記伸縮部が収縮している通常状態の製品幅と伸縮部を周方向に最大に伸長させた最大伸長状態の製品幅との差を１００〜２５０ｍｍにするか、あるいは前記伸縮部を周方向に最大に伸長させた最大伸長状態から１００ｍｍ縮ませたときの、製品の胴回り部の伸縮力が３００〜６００ｇｆの範囲にあり、かつ１５０ｍｍ縮ませたときの、製品の胴回り部の伸縮力が５０〜３００ｇｆの範囲にすることが重要である。
【符号の説明】
【００５１】
１…外形シート、４…股下、１０…吸収主体、１２…バックシート、１３…吸収コア、ＡＢ…吸収体、Ｃ…バリヤーカフス、２０Ｆ，２０Ｂ…ウエスト伸縮部材、２１Ｆ，２１Ｂ…腰下部伸縮部材、２３…股部伸縮部材、Ｔ…胴周り部、Ｕ…腰下部、Ｌ…股部、Ｗ…ウエスト部、ＷＯ…ウエスト開口部、ＬＯ…レッグ開口部。
【図１】
0004823325.tif 000002
【図２】
0004823325.tif 000003
【図３】
0004823325.tif 000004
【図４】
0004823325.tif 000005
【図５】
0004823325.tif 000006
【図６】
0004823325.tif 000007
【図７】
0004823325.tif 000008
【図８】
0004823325.tif 000009
【図９】
0004823325.tif 000010